(57)【要約】【課題】レーザー加工機を使用しない場合であっても、易開封線を形成でき、このことによって、包装袋を容易かつ安価に作製する。【解決手段】包装袋１は一対の側縁シール部３ａを有し、この一対の側縁シール部３ａにノッチ５が設けられている。表面フィルム１０にノッチ５を挟むように一対の易開封線１１ａ、１１ｂが設けられている。裏面フィルム２０に、一対の易開封線１１ａ，１１ｂと重ならないように、一対の易開封線２１ａ、２１ｂが設けられている。【選択図】図１
2016137930.tif 000002
【特許請求の範囲】
【請求項１】
表面フィルムと、裏面フィルムとを備え、
前記表面フィルムと前記裏面フィルムのうち少なくとも対向する一対の側縁が接合され、
少なくとも一方の側縁に開封開始手段が設けられ、
前記表面フィルムおよび裏面フィルムの一方のフィルムに、前記開封開始手段を挟むよう一方の側縁から他方の側縁に向かう直線状の一対の第１易開封線が設けられ、他方のフィルムに前記一方のフィルムの一対の第１易開封線と重ならないように、一方の側縁から他方の側縁に向かって直線状の第２易開封線が設けられていることを特徴とする包装袋。
【請求項２】
前記他方のフィルムの前記第２易開封線は、前記開封開始手段を挟むよう一対の設けられていることを特徴とする請求項１記載の包装袋。
【請求項３】
前記第２易開封線は、前記第１易開封線を挟むよう設けられていることを特徴とする請求項２記載の包装袋。
【請求項４】
前記第２易開封線は、前記開封開始手段を通る一本の易開封線からなることを特徴とする請求項１記載の包装袋。
【請求項５】
前記第１易開封線または前記第２易開封線は、一方の側縁から他方の側縁に至るように設けられていることを特徴とする請求項１乃至４のいずれか記載の包装袋。
【請求項６】
前記表面フィルムおよび前記裏面フィルムは、いずれも基材層とシーラント層とを有し、
前記第１易開封線は、前記一方のフィルムの基材層を切断することにより形成され、
前記第２易開封線は、前記他方のフィルムの基材層を切断することにより形成されていることを特徴とする請求項１乃至５のいずれか記載の包装袋。
【発明の詳細な説明】
【技術分野】
【０００１】
本発明は易開封線をもつ包装袋に係り、とりわけ開封性に優れ、かつ容易に易開封線を形成することができる包装袋に関する。
【背景技術】
【０００２】
従来より包装袋として、互いに積み合わされた表面フィルムと裏面フィルムとを備え、これらの一対の側縁が互いに接合されたものが知られている。
【０００３】
また包装袋の一対の側縁にはノッチが形成され、このノッチを始点として包装袋を開封することができる。
【０００４】
また表面フィルムおよび裏面フィルムには、各々ずれた位置に易開封線が形成され、ノッチから包装袋を開封した場合、易開封線に沿って表面フィルムおよび裏面フィルムが切断される。
【０００５】
ところで表面フィルムおよび裏面フィルムの易開封線を互いにずれた位置に設けるために、一方のフィルムに形成された易開封線を直線状に形成し、他方のフィルムに形成された易開封線を曲線状に形成することがある。この場合は、フィルムを連続的に搬送しながらこの曲線状の易開封線を形成するために、易開封線をレーザー加工により形成する必要がある。
【０００６】
しかしながらレーザー加工機は高価なため、設備導入に多額の費用を必要とする。
【０００７】
そこで、レーザー加工機を使用せずとも包装袋に易開封線を形成することが求められている。
【先行技術文献】
【特許文献】
【０００８】
【特許文献１】特開２０１４−０４６９２４号公報
【発明の概要】
【発明が解決しようとする課題】
【０００９】
本発明はこのような点を考慮してなされたものであり、開封性に優れた包装袋であって、レーザー加工機を使用しない場合であっても形成することができる易開封線を備えた包装袋を提供することを目的とする。
【課題を解決するための手段】
【００１０】
本発明は、表面フィルムと、裏面フィルムとを備え、前記表面フィルムと前記裏面フィルムのうち少なくとも対向する一対の側縁が接合され、少なくとも一方の側縁に開封開始手段が設けられ、前記表面フィルムおよび裏面フィルムの一方のフィルムに、前記開封開始手段を挟むよう一方の側縁から他方の側縁に向かう直線状の一対の第１易開封線が設けられ、他方のフィルムに前記一方のフィルムの一対の第１易開封線と重ならないように、一方の側縁から他方の側縁に向かって直線状の第２易開封線が設けられていることを特徴とする包装袋である。
【００１１】
本発明は、前記他方のフィルムの前記第２易開封線は、前記開封開始手段を挟むよう一対の設けられていることを特徴とする包装袋である。
【００１２】
本発明は、前記第２易開封線は、前記第１易開封線を挟むよう設けられていることを特徴とする包装袋である。
【００１３】
本発明は、前記第２易開封線は、前記開封開始手段を通る一本の易開封線からなることを特徴とする包装袋である。
【００１４】
本発明は、前記第１易開封線または前記第２易開封線は、一方の側縁から他方の側縁に至るように設けられていることを特徴とする包装袋である。
【００１５】
本発明は、前記表面フィルムおよび前記裏面フィルムは、いずれも基材層とシーラント層とを有し、前記第１易開封線は、前記一方のフィルムの基材層を切断することにより形成され、前記第２易開封線は、前記他方のフィルムの基材層を切断することにより形成されていることを特徴とする包装袋である。
【発明の効果】
【００１６】
以上のように本発明によれば、レーザー加工機を使用しない場合であっても易開封線を形成することができるため、包装袋を安価で製造することができる。また開封時に表面フィルムと裏面フィルムに段差をもつ開口縁を形成することができるため、開封性に優れる。
【図面の簡単な説明】
【００１７】
【図１】図１は本発明の第１の実施の形態による包装袋を示す平面図。
【図２】図２は本発明の実施の形態による包装袋を示す断面図。
【図３】図３は本発明の第２の実施の形態による包装袋を示す平面図。
【図４】図４は本発明の第３の実施の形態による包装袋を示す平面図。
【図５】図５は本発明の第１の実施形態による包装袋の使用状態を示す平面図。
【図６】図６は本発明の第１の実施形態の変形例による包装袋を示す平面図。
【発明を実施するための形態】
【００１８】
＜第１の実施の形態＞
次に図１および図２により本発明の第１の実施の形態について説明する。  なお、図１は、内容物が充填される前、つまり内容物が充填されていない状態の包装袋を示す図である。
図１および図２に示すように、包装袋１は平パウチ型の包装袋となっており、別個である表面フィルム１０と裏面フィルム２０が対向するように配置され、表面フィルム１０および裏面フィルム２０は、対向する一対の側縁において側縁シール部３ａにより接合され、その底縁において底縁シール部３ｂにより接合され、一対の側縁シール部３ａおよび底縁シール部３ｂによりシール部３が構成されている。そして包装袋１の上方は開口された開口部６となっている。
【００１９】
また包装袋１の一対の側縁シール部３ａには、各々ノッチ（開封開始手段）５が設けられている。さらにまた表面フィルム１０と裏面フィルム２０のうちの一方、例えば表面フィルム１０には一対のノッチ５を挟むようにして直線状の一対の第１易開封線１１ａ、１１ｂが設けられている。第１の実施の形態において、第１易開封線１１ａ、１１ｂは１つの直線で形成され、包装袋１の一方の側縁から他方の側縁に至るように設けられている。そして、第１易開封線１１ａと１１ｂは平行に配置されている。
【００２０】
また他方のフィルムである裏面フィルム２０にも、一対のノッチ５を挟むようにして直線状の一対の第２易開封線２１ａ、２１ｂが設けられている。第１の実施の形態において、第２易開封線２１ａ、２１ｂは１つの直線で形成され、包装袋１の一方の側縁から他方の側縁に至るように設けられている。そして、第２易開封線２１ａと２１ｂは平行に配置されている。さらに、第２易開封線２１ａ、２１ｂは第１易開封線１１ａ、１１ｂとも平行に配置されている。
【００２１】
図１に示すように、表面フィルム１０の第１易開封線１１ａ、１１ｂのうち上方にある第１易開封線１１ａは、裏面フィルム２０の第２易開封線２１ａ、２１ｂのうち上方にある第２易開封線２１ａより更に上方に位置しており、このため第１易開封線１１ａ、１１ｂと第２易開封線２１ａは互いに異なる位置にある。
【００２２】
また、表面フィルム１０の第１易開封線１１ａ、１１ｂのうち下方にある第１易開封線１１ｂは、裏面フィルム２０の第２易開封線２１ａ、２１ｂのうち下方にある第２易開封線２１ｂより更に下方に位置しており、このため第１易開封線１１ａ、１１ｂと第２易開封線２１ｂは互いに異なる位置にある。すなわち、平面視において、第１易開封線１１ａ、１１ｂ、第２易開封線２１ａ、２１ｂはいずれも重ならないように配置されている。
【００２３】
このように、図１示すように、全体として表面フィルム１０の一対の第１易開封線１１ａ、１１ｂは、裏面フィルム２０の一対の第２易開封線２１ａ、２１ｂを挟むように配置されている。
【００２４】
次に図２により表面フィルム１０と裏面フィルム２０の層構成について説明する。表面フィルム１０と裏面フィルム２０は、少なくとも基材層とシーラント層が積層された積層フィルムで構成される。例えば、基材層とシーラント層の間に中間層が設けられていてもよい。以下では、表面フィルム１０と裏面フィルム２０が基材層とシーラント層が積層された積層フィルムの例について説明する。
【００２５】
図２に示すように表面フィルム１０は基材層１０Ａと、シーラント層１０Ｂとを有し、基材層１０Ａにスリットが設けられ、このスリットにより易開封線１１ａ、１１ｂが形成されている。また裏面フィルム２０は基材層２０Ａと、シーラント層２０Ｂとを有し、基材層２０Ａにスリットが形成され、このスリットにより易開封線２１ａ、２１ｂが形成されている。
【００２６】
表面フィルム１０および裏面フィルム２０の基材層１０Ａ、２０Ａとしては、例えば、ポリエチレンテレフタレート（ＰＥＴ）またはポリプロピレン（ＰＰ）などを用いることができる。また、基材層１０Ａ、２０Ａは延伸されていることが好ましい。
【００２７】
他方、表面フィルム１０および裏面フィルム１０のシーラント層１０Ｂ、２０Ｂとしては、ポリエチレン（ＰＥ）またはポリプロピレン（ＰＰ）などを用いることができる。
【００２８】
次にこのような構成からなる本実施の形態の作用について説明する。  
まず包装袋１の製造方法について述べる。
【００２９】
はじめに表面フィルム１０を作製する。この場合、基材層の原反を準備し、基材層を連続的に搬送させながら基材層に印刷を施す。
【００３０】
次に印刷が施された帯状の基材層を連続的に搬送させながらロータリーダイカッターや、丸刃や平刃などのスリッター刃などの刃物を用いて基材層を切断して、基材層に第１易開封線１１ａ、１１ｂおよび第２易開封線２１ａ、２１ｂとなるスリットを形成する。このとき、第１易開封線１１ａ、１１ｂおよび第２易開封線２１ａ、２１ｂは、いずれも１つの直線で形成されるものであるため、刃物を用いて形成することができる。
【００３１】
次にスリットが形成された帯状の基材層を連続的に搬送させながら、溶融押出ラミネート法を用いて基材層にシーラント層を積層して積層フィルムを作製する。
次に帯状の積層フィルムを連続的に搬送させながら、刃物を用いて、表面フィルム１０と裏面フィルム２０に切断する。
【００３２】
次に帯状の表面フィルム１０と帯状の裏面フィルム２０を互いのシーラント層１０Ｂ、２０Ｂが向き合うようにして重ね合わせながら連続的に搬送する。
【００３３】
その後表面フィルム１０と裏面フィルム２０に対してヒートシールを施すことにより、一対の側縁シール部３ａと底縁シール３ｂとを形成することができる。
【００３４】
その後表面フィルム１０と裏面フィルム２０の一対の側縁シール部３ａにノッチ５を形成し、表面フィルム１０と裏面フィルム２０を個々の包装袋毎に切断して個片化することにより包装袋１を得ることができる。
【００３５】
このようにして得られた包装袋１内に上方の開口部６から内容物が挿入され、包装袋１の開口部６はヒートシールされて密封される。
【００３６】
ところで、上述した包装袋１の製造工程において、（１）基材層にスリットをする工程と、基材層とシーラント層を積層する工程はインラインで行うことが好ましい。
（２）また、表面フィルム１０と裏面フィルム２０に切断する工程から、個々の包装袋１に切断する工程まではインラインで行うことが好ましい。
（３）さらに基材層を基材層１０Ａと基材層２０Ａに分断した後、基材層１０Ａに第１易開封線１１ａ、１１ｂとなるスリットを形成し、基材層２０Ａに第２易開封線２１ａ、２１ｂとなるスリットを形成してもよい。
（４）また、基材層にシーラント層を積層して積層フィルムを作成する際、溶融押出ラミネート法の代わりに、ドライラミネート法を用いて基材層とシーラント層を積層するようにしてもよい。
（５）また、基材層の状態でスリットを形成せず、基材層とシーラント層を積層した積層フィルムにおいて、スリットを形成するようにしてもよい。
【００３７】
使用にあたって、使用者は包装袋１の一方のノッチ５から表面フィルム１０および裏面フィルム２０を切断して開封する。この場合、表面フィルム１０においては、いずれか一方のノッチ５から破断（開封）が開始され、表面フィルム１０にノッチ５から始まる破断線が形成され、この破断線は第１易開封線１１ａ、１１ｂのいずれかに達する。そして表面フィルム１０はいずれかの第１易開封線１１ａ、１１ｂに沿って破断されていく。
【００３８】
同様に裏面フィルム２０は、ノッチ５から破断され、この破断線は第２易開封線２１ａ、２１ｂのいずれかに達する。そして裏面フィルム２０はいずれかの第２易開封線２１ａ、２１ｂに沿って破断されていく。このようにして表面フィルム１０および裏面フィルム２０を破断することにより包装袋１を容易に開封することができる。
【００３９】
具体的には、図５（ａ）（ｂ）に示すように、表面フィルム１０側において、ノッチ５から破断が開始され、表面フィルム１０にノッチ５から始まる破断線が形成されて、第１易開封線１１ａに達し、表面フィルム１０が第１易開封線１１ａに沿って破断されていくことが考えられる。この時、表面フィルム１０に開封縁Ａが形成される。
【００４０】
このとき、裏面フィルム２０側において、ノッチ５から破断が開始され、裏面フィルム２０にノッチ５から始まる破断線が形成されて、第２易破断線２１ａに達し、裏面フィルム２０が第２易開封線２１ａに沿って破断されると、裏面フィルム２０に開封縁Ｂが形成される。
【００４１】
この様な場合、表面フィルム１０の開封縁Ａと裏面フィルム２０の開封縁Ｂとの間に段差が生じ、使用者は外方に突出する開封縁Ａを摘まんで包装袋１を容易に開くことができる。
【００４２】
また、図５（ａ）（ｂ）に示すように、表面フィルム１０側において、ノッチ５から破断が開始され、表面フィルム１０にノッチ５から始まる破断線が形成されて、第１易開封線１１ｂに達し、表面フィルム１０が第１易開封線１１ｂに沿って破断されていくことが考えられる。この時、表面フィルム１０に開封縁Ｄが形成される。
【００４３】
このとき、裏面フィルム２０側において、ノッチ５から破断が開始され、裏面フィルム２０にノッチ５から始まる破断線が形成されて、第２易破断線２１ｂに達し、裏面フィルム２０が第２易開封線２１ｂに沿って破断されると、裏面フィルム２０に開封縁Ｃが形成される。
【００４４】
この様な場合、表面フィルム１０の開封縁Ｄと裏面フィルム２０の開封縁Ｃとの間に段差が生じ、使用者は外方に突出する開封縁Ｃを摘まんで包装袋１を容易に開くことができる。
【００４５】
あるいは、図５（ａ）（ｂ）に示すように、表面フィルム１０側において、ノッチ５から破断が開始され、表面フィルム１０にノッチ５から始まる破断線が形成されて、第１易開封線１１ａに達し、表面フィルム１０が第１易開封線１１ａに沿って破断されていくことが考えられる。この時、表面フィルム１０に開封縁Ａが形成される。
【００４６】
このとき、裏面フィルム２０側において、ノッチ５から破断が開始され、裏面フィルム２０にノッチ５から始まる破断線が形成されて、第２易破断線２１ａに達し、裏面フィルム２０が第２易開封線２１ｂに沿って破断されると、裏面フィルム２０に開封縁Ｃが形成される。
【００４７】
この様な場合、表面フィルム１０の開封縁Ａと裏面フィルム２０の開封縁Ｃとの間に段差が生じ、使用者は外方に突出する開封縁Ａを摘まんで包装袋１を容易に開くことができる。
【００４８】
さらにまた、図５（ａ）（ｂ）に示すように、表面フィルム１０側において、ノッチ５から破断が開始され、表面フィルム１０にノッチ５から始まる破断線が形成されて、第１易開封線１１ｂに達し、表面フィルム１０が第１易開封線１１ｂに沿って破断されていくことが考えられる。この時、表面フィルム１０に開封縁Ｄが形成される。
【００４９】
このとき、裏面フィルム２０側において、ノッチ５から破断が開始され、裏面フィルム２０にノッチ５から始まる破断線が形成されて、第２易破断線２１ａに達し、裏面フィルム２０が第２易開封線２１ａに沿って破断されると、裏面フィルム２０に開封縁Ｂが形成される。
【００５０】
この様な場合、表面フィルム１０の開封縁Ｄと裏面フィルム２０の開封縁Ｂとの間に段差が生じ、使用者は外方に突出する開封縁Ｂを摘まんで包装袋１を容易に開くことができる。
【００５１】
以上のように本実施の形態によれば、易開封線１１ａ、１１ｂおよび易開封線２１ａ、２１ｂをいずれも直線状としているので、刃物を用いて、易開封線１１ａ、１１ｂおよび２１ａ、２１ｂとなるスリットを設けることができるため、安価に易開封線１１ａ、１１ｂおよび２１ａ、２１ｂを設けることができる。従って、包装袋１を安価で製造することができる。
【００５２】
また、第１易開封線１１ａ、１１ｂは第２易開封線２１ａ、２１ｂのいずれとも重なることはなく、互いに異なる位置に設けられているため、表面フィルム１０の開封縁と裏面フィルム２０の開封縁は互いに段差をもつことになる。このため外方へ突出する側の開封縁を摘んで包装袋１を容易に開封することができる。従って、包装袋１の開封性に優れる。
【００５３】
＜第２の実施の形態＞
次に図３により本発明の第２の実施の形態について説明する。以下の説明では、第１の実施の形態と同様に構成される部分については、第１の実施の形態と同一の符号を用いることとし、重複する説明を省略する。
【００５４】
図３に示すように、包装袋１は平パウチ型の包装袋となっており、別個である表面フィルム１０と裏面フィルム２０が対向するように配置され、表面フィルム１０および裏面フィルム２０は、対向する一対の側縁において側縁シール部３ａにより接合され、その底縁において底縁シール部３ｂにより接合され、一対の側縁シール部３ａおよび底縁シール部３ｂによりシール部３が構成されている。そして包装袋１の上方は開口部６となっている。
【００５５】
また包装袋１の一対の側縁シール部３ａには、各々ノッチ（開封開始手段）５が設けられている。さらにまた表面フィルム１０と裏面フィルム２０のうちの一方、例えば表面フィルム１０には一対のノッチ５を挟むようにして直線状の一対の第１易開封線１１ａ、１１ｂが設けられている。第２の実施の形態において、第１易開封線１１ａ、１１ｂは１つの直線で形成され、包装袋１の一方の側縁から他方の側縁に至るように設けられている。そして、第１易開封線１１ａと１１ｂは平行に配置されている。
【００５６】
また他方のフィルムである裏面フィルム２０には一対のノッチ５と連結するように直線状の一本の第２易開封線２１ｃが設けられている。第２の実施の形態において、第２易開封線２１ｃは１つの直線で形成され、包装袋１の一方の側縁から他方の側縁に至るように設けられている。そして、第２易開封線２１ｃは第１易開封線１１ａ、１１ｂと平行に配置されている。
【００５７】
図３に示すように、表面フィルム１０の第１易開封線１１ａ、１１ｂのうち上方にある第１易開封線１１ａは、裏面フィルム２０の第２易開封線２１ｃにより更に上方に位置しており、このため第１易開封線１１ａと第２易開封線２１ｃは互いに異なる位置にある。
【００５８】
また、表面フィルム１０の第１易開封線１１ａ、１１ｂのうち下方にある第１易開封線１１ｂは、裏面フィルム２０の第２易開封線２１ｃより下方に位置しており、このため第１易開封線１１ｂと第２易開封線２１ｃは互いに異なる位置にある。すなわち、平面視において、第１易開封線１１ａ、１１ｂ、第２易開封線２１ｃはいずれも重ならないように配置されている。
【００５９】
このように図３に示すように、全体として表面フィルム１０の一対の第１易開封線１１ａ、１１ｂは、裏面フィルム２０の第２易開封線２１ｃを挟むように配置されている。
【００６０】
以上のように本実施の形態によれば、易開封線１１ａ、１１ｂおよび易開封線２１ｃをいずれも直線状としているので、刃物を用いて、易開封線１１ａ、１１ｂおよび２１ｃとなるスリットを設けることができるため、安価に易開封線１１ａ、１１ｂおよび２１ｃを設けることができる。従って、包装袋１を安価で製造することができる。
【００６１】
また、第１易開封線１１ａ、１１ｂは第２易開封線２１ｃと重なることはなく、互いに異なる位置に設けられているため、表面フィルム１０の開封縁と裏面フィルム２０の開封縁は互いに段差をもつことになる。このため外方へ突出する側の開封縁を摘んで包装袋１を容易に開封することができる。従って、包装袋１の開封性に優れる。
【００６２】
＜第３の実施の形態＞
次に図４により本発明の第３の実施の形態について説明する。以下の説明では、上述の実施の形態と同様に構成される部分については、上述の実施の形態と同一の符号を用いることとし、重複する説明を省略する。
【００６３】
図４に示すように、包装袋１は平パウチ型の包装袋となっており、別個である表面フィルム１０と裏面フィルム２０が対向するように配置され、表面フィルム１０および裏面フィルム２０は、対向する一対の側縁において側縁シール部３ａにより接合され、その底縁において底縁シール部３ｂにより接合され、一対の側縁シール部３ａおよび底縁シール部３ｂによりシール部３が構成されている。そして包装袋１の上方は開口された開口部６となっている。
【００６４】
また包装袋１の一対の側縁シール部３ａには、各々ノッチ（開封開始手段）５が設けられている。さらにまた表面フィルム１０と裏面フィルム２０のうちの一方、例えば表面フィルム１０には一対のノッチ５を挟むようにして直線状の一対の第１易開封線１１ａ、１１ｂが設けられている。第３の実施の形態において、第１易開封線１１ａ、１１ｂは１つの直線で形成され、包装袋１の一方の側縁から他方の側縁に至るように設けられている。そして、第１易開封線１１ａと１１ｂは平行に配置されている。
【００６５】
また他方のフィルムである裏面フィルム２０にも、一対のノッチ５を挟むようにして直線状の一対の第２易開封線２１ａ、２１ｂが設けられている。第３の実施の形態において、第２易開封線２１ａ、２１ｂは１つの直線で形成され、包装袋１の一方の側縁から他方の側縁に至るように設けられている。そして、第２易開封線２１ａと２１ｂは平行に配置されている。さらに、第２易開封線２１ａ、２１ｂは第１易開封線１１ａ、１１ｂとも平行に配置されている。
【００６６】
図４に示すように、表面フィルム１０の第１易開封線１１ａ、１１ｂのうち上方にある第１易開封線１１ａは、裏面フィルム２０の第２易開封線２１ａ、２１ｂのうち上方にある第２易開封線２１ａより更に上方に位置しており、このため第１易開封線１１ａと第２易開封線２１ａは互いに異なる位置にある。
【００６７】
また、表面フィルム１０の第１易開封線１１ａ、１１ｂのうち下方にある第１易開封線１１ｂは、裏面フィルム２０の第２易開封線２１ａ、２１ｂのうち下方にある第２易開封線２１ｂより上方に位置しており、このため第１易開封線１１ｂと第２易開封線２１ｂは互いに異なる位置にある。すなわち、平面視において、第１易開封線１１ａ、１１ｂ、第２易開封線２１ａ、２１ｂはいずれも重ならないように配置されている。
【００６８】
以上のように本実施の形態によれば、易開封線１１ａ、１１ｂおよび易開封線２１ａ、２１ｂをいずれも直線状としているので、刃物を用いて、易開封線１１ａ、１１ｂおよび２１ａ、２１ｂとなるスリットを設けることができるため、安価に易開封線１１ａ、１１ｂおよび２１ａ、２１ｂを設けることができる。従って、包装袋１を安価で製造することができる。
【００６９】
また、第１易開封線１１ａ、１１ｂは第２易開封線２１ａ、２１ｂのいずれとも重なることはなく、互いに異なる位置に設けられているため、表面フィルム１０の開封縁と裏面フィルム２０の開封縁は互いに段差をもつことになる。このため外方へ突出する側の開封縁を摘んで包装袋１を容易に開封することができる。従って、包装袋１の開封性に優れる。
【００７０】
なお、上述した実施の形態に対して様々な変更を加えることが可能である。以下、変形例について説明する。以下の説明では、上述の実施の形態と同様に構成される部分については、上述の実施の形態と同一の符号を用いることとし、重複する説明を省略する。
【００７１】
（易開封線の変形例）
上述の実施の形態では、第１易開封線および第２易開封線が、いずれも１つの直線が連続線で構成される例を示したが、これに限らず、１つの直線が点線や破線などの断続線で構成されるようにしてもよい。すなわち本発明において、直線状とは、１つの直線が連続線で構成されるだけでなく、点線や破線などの断続線で構成される例も含む概念である。
【００７２】
また、上述の実施の形態では、第１易開封線１１ａと１１ｂが平行に配置される例、第２易開封線２１ａと２１ｂが平行に配置される例、および、第１易開封線と第２易開封線が平行に配置される例を示したが、各々の易開封線が交差しない限りにおいて、平行に配置されていなくてもよい。例えば、易開封線となるスリットを設けるときに、基材層を揺動させることにより、基材層の搬送方向に対して斜めにスリットを設けることができる。
また、上述の実施の形態では、基材層に易開封線となるスリットを設ける例を説明したが、これに限らず、基材層にはスリットを設けずにシーラント層にスリットを設けるようにしてもよい。また、易開封線を断続線で構成する場合は、基材層とシーラント層の両方にスリットを設けるようにしてもよい。
【００７３】
（包装袋の変形例）
なお、上述の実施の形態において、包装袋１が平パウチ型の包装袋となっている例を示したが、これに限らず底部ガセット部を有するスタンディングパウチ型の包装袋であってもよい。また、上述の実施形態では、別個の表面フィルム１０と裏面フィルム２０を用いて包装袋１を形成する例を示したが、これに限らず、一体の表面フィルム１０と裏面フィルム２０を用いて包装袋１を形成するようにしてもよい。この場合、底縁シール部３ｂを設けないようにしてもよい。
【００７４】
（再封止手段が設けられる例）
また表面フィルム１０に設けられた第１易開封線および裏面フィルム２０に設けられた第２易開封線のうち、最も下方の易開封線より下方に再封止手段４を設けてもよい。図６に、第１の実施の形態による包装袋１に再封止手段４を設けた例を示す。図６において、再封止手段４は、第１易開封線１１ｂよりも下方に設けられている。そして、包装袋１の一方の側縁から他方の側縁に至るように設けられている。再封止手段４としては、例えばチャックテープを用いることができる。チャックテープは、雄型部材と雌型部材とで構成されるものであり、例えば、表面フィルム１０に雄型部材を取り付け、裏面フィルム２０に雌型部材を取り付けることができる。そして、包装袋１を開封した後、雄型部材と雌型部材を嵌合させることにより、包装袋１を再封することができる。なお、上述の例では、再封止手段４が包装袋１の一方の側縁から他方の側縁に至るように形成される例を示したが、再封止手段４は、少なくとも一方の側縁シール部３ａから他方の側縁シール部３ｂに至るように設けられていればよい。
【００７５】
また、包装袋１はその一対の側縁シール部３ａ、３ａに各々設けられた一対のノッチ５を有する例を示したが、一方の側縁シール部３ａのみにノッチ５を設けてもよい。
【００７６】
さらに側縁シール部３ａ、３ａに設けられたノッチ５により開封開始手段を形成した例を示したが、ノッチ５の代わりに切込または傷痕群を設けるようにしてもよい。なお、傷痕群とは、表面フィルム１０および裏面フィルム２０を貫通するように形成された複数の貫通孔や、表面フィルム１０および裏面フィルム２０を貫通しないように形成された複数の孔を指すものである。
【符号の説明】
【００７７】
１  包装袋
３ａ  側縁シール部
３ｂ  底縁シール部
４  再封止手段
５  ノッチ
６  開口部
１０  表面フィルム
１１  基盤
１１ａ、１１ｂ  易開封線
１２  シーラント層
２０  裏面フィルム
２１  基材
２１ａ、２１ｂ  易開封線
２２  シーラント層
【図１】
2016137930.tif 000003
【図２】
2016137930.tif 000004
【図３】
2016137930.tif 000005
【図４】
2016137930.tif 000006
【図５】
2016137930.tif 000007
【図６】
2016137930.tif 000008